(57)【特許請求の範囲】
【請求項１】
画像形成装置本体に対して着脱可能に設けられ、電子写真感光体に現像剤を供給する現像カートリッジであって、
前記電子写真感光体に現像剤を供給する現像剤担持体と、
前記現像剤担持体を回動可能に支持する現像枠体と、
前記現像枠体に固定され、前記現像剤担持体の鉛直下方に少なくとも一部が配置され、前記現像剤担持体の上の現像剤を規制する規制部材と、
を有し、
前記規制部材の一部と重なるように、前記規制部材の鉛直上方に配置された捕集部材を備え、
前記捕集部材は、
前記規制部材と対向し、前記規制部材との間に現像剤を収容する収容部を形成する対向部と、
前記対向部につながる一端から前記規制部材へ向かって延びる第一部と、
前記第一部の他端に一端がつながり、前記現像剤担持体に向かって延び、他端は前記規制部材との隙間が、前記規制部材と前記第一部の他端との最小の隙間に比べ、大きくなる第二部と、
を有することを特徴とする現像カートリッジ。
【請求項２】
前記捕集部材は、前記第二部の他端から前記規制部材から離れる方向に突出するリブを有することを特徴とする請求項１に記載の現像カートリッジ。
【請求項３】
前記規制部材は、前記現像剤担持体に当接する規制部と、前記規制部を支持する支持部と、を有し、
前記捕集部材は、前記現像剤担持体の長手方向の端部において、前記規制部材の前記規制部側から前記支持部側に向かって、前記収容部の外側から内側へ傾斜した面を有する
ことを特徴とする請求項１または２に記載の現像カートリッジ。
【請求項４】
前記規制部材は、前記現像剤担持体に当接する規制部と、前記規制部を支持する支持部と、を有し、
前記第一部は、前記規制部材の前記支持部側から前記規制部側に凸となる形状が複数、前記現像剤担持体の長手方向に沿って配列された断面を有する
ことを特徴とする請求項１ないし３のいずれか１項に記載の現像カートリッジ。
【請求項５】
前記形状は、円弧形状であることをとく著とする請求項４に記載の現像カートリッジ。
【請求項６】
前記規制部材は、前記現像剤担持体に当接する規制部と、前記規制部を支持する板金からなる支持部と、を有し、
前記捕集部材は、前記支持部を被覆する被覆部を有する
ことを特徴とする請求項１ないし５のいずれか１項に記載の現像カートリッジ。
【発明の詳細な説明】
【技術分野】
【０００１】
本発明は、電子写真画像形成装置に用いられる現像カートリッジに関するものである。特に、カラー電子写真画像形成装置に適用して好適なものである。
【０００２】
ここで、電子写真画像形成装置とは、電子写真画像形成方式を用いて記録媒体に画像を形成するものである。そして、電子写真画像形成装置の例としては、例えば、電子写真複写機、電子写真プリンタ（例えば、レーザービームプリンタ、ＬＥＤプリンタ等）、ファクシミリ装置及びワードプロセッサ等が含まれる。
【０００３】
現像カートリッジとは、電子写真感光体ドラム上の潜像を現像するための現像手段とそれを支持する現像枠体、及び現像手段に関わる部品とを一体化し、画像形成装置本体に着脱可能にしたものである。
【背景技術】
【０００４】
電子写真画像形成方式（電子写真プロセス）を用いたプリンタ等の画像形成装置では、像担持体としての電子写真感光体（以下、感光体ドラム）を一様に帯電させる。次いで、帯電した感光体ドラムを選択的に露光することによって、感光体ドラム上に静電像を形成する。次いで、感光体ドラム上に形成された静電像を、現像剤としてのトナーでトナー像として顕像化する。そして、感光体ドラム上に形成されたトナー像を、記録用紙、プラスチックシート等の記録材に転写し、更に記録材上に転写されたトナー像に熱や圧力を加えることでトナー像を記録材に定着させることで画像記録を行う。
【０００５】
このような画像形成装置には、一般に、各種のプロセス手段のメンテナンスを必要とする。この各種のプロセス手段のメンテナンスを容易にするため、感光体ドラム、帯電手段、現像手段、クリーニング手段等を枠体内にまとめてカートリッジ化し、画像形成装置本体（以下、装置本体）に着脱可能なプロセスカートリッジとすることが実用化されている。プロセスカートリッジ方式によれば、ユーザビリティーに優れた画像形成装置を提供することができる。
【０００６】
このようなプロセスカートリッジには、感光体ドラムを有するクリーニングユニット、現像手段を有する現像ユニット、現像剤を供給するトナーユニットなどのユニットを持つ構成が知られている。
【０００７】
これらのユニット、またはプロセスカートリッジを装置本体に着脱する構成について、感光体ドラムの軸線方向に沿って装置本体に着脱する方式が提案されている（特許文献１参照）。
【０００８】
この現像ユニットは、感光体ドラムに現像剤を供給するための現像剤担持体や、現像剤担持体に現像剤を供給するための現像剤供給部材が設けられた現像室と、現像室に供給する現像剤を収容するための現像剤収容室を有する。そして、現像剤担持体は、鉛直上方に配置され、現像剤担持体が設けられた現像収容室は、現像室より鉛直下方に位置する構成とすることが提案されている。
【０００９】
また、現像ユニットにおいて、飛散トナーが画像形成装置内の飛散トナーの画像形成装置内への漏洩を防止するために、一端が固定され、他端が感光体ドラムに摺接するシート部材を設ける構成が提案されている（特許文献２参照）。
【先行技術文献】
【特許文献】
【００１０】
【特許文献１】特許第５０６７９１３号公報
【特許文献２】特許第５３８８５２６号公報
【発明の概要】
【発明が解決しようとする課題】
【００１１】
画像形成装置本体に対して、現像ユニットとして現像カートリッジを着脱可能とした構成が検討されている。この構成において、飛散トナーの装置本体の漏洩防止するシート部材を配置すると、現像カートリッジを着脱する際に、漏洩防止シート部材が感光体ドラムに着脱方向に摺接される。このため、摺擦による感光体ドラムの傷つき防止のために、現像カートリッジに設けられる漏洩防止シート部材に退避機構が必要となり、現像カートリッジが大型化してしまう。
【００１２】
従って、本発明の目的は、現像カートリッジを着脱可能とした場合であっても、現像カートリッジを大型化することなく、飛散トナーが装置本体に漏洩しない構成を提供することにある。
【課題を解決するための手段】
【００１３】
本発明に係る現像カートリッジは、画像形成装置本体に対して着脱可能に設けられ、電子写真感光体に現像剤を供給する現像剤担持体と、現像剤担持体を回動可能に支持する現像枠体と、現像枠体に固定され、現像剤担持体の鉛直下方に少なくとも一部が配置され、現像剤担持体の上の現像剤を規制する規制部材と、を有する。そして、規制部材の一部と重なるように、規制部材の鉛直上方に配置された捕集部材を備え、捕集部材は、規制部材と対向し、規制部材との間に現像剤を収容する収容部を形成する対向部と、
対向部につながる一端から規制部材へ向かって延びる第一部と、第一部の他端に一端がつながり、現像剤担持体に向かって延び、他端は前記規制部材との隙間が、規制部材と第一部の他端との最小の隙間に比べ、大きくなる第二部と、を有することを特徴とする。
【発明の効果】
【００１４】
以上説明したように、本発明によれば、現像カートリッジを大型化することなく、装置本体に飛散トナーが漏洩することを防止できる。
【図面の簡単な説明】
【００１５】
【図１】本発明の実施例に係る捕集部材近傍を示す断面図
【図２】本発明の実施例に係る画像形成装置の断面図
【図３】本発明の実施例に係るドラムカートリッジの断面図
【図４】本発明の実施例に係る現像カートリッジの断面図
【図５】本発明の実施例に係る画像形成装置にドラムカートリッジ及び現像カートリッジを装着する構成を示す図
【図６】本発明の実施例に係る捕集部材近傍の平面図
【図７】本発明の実施例に係る捕集部材の配置を示す図
【図８】本発明の実施例に係る捕集部材の平面図
【図９】本発明の実施例に係る捕集部材と現像ブレードを示す断面図
【発明を実施するための形態】
【００１６】
［実施例］
［画像形成装置の全体的な概略構成］
（画像形成装置の全体構成）
まず電子写真画像形成装置（以下、画像形成装置）１００の全体構成について、図２を用いて説明する。図２に示すように画像形成装置１００は、着脱可能な４個のドラムカートリッジ２６（２６ａ，２６ｂ，２６ｃ，２６ｄ）と４個の現像カートリッジ４（４ａ，４ｂ，４ｃ，４ｄ）が画像形成装置本体（以下、装置本体）１０に装着され、構成されている。またドラムカートリッジ２６及び現像カートリッジ４の画像形成装置１００の装着方向上流側を前側面側、装着方向下流側を奥側面側と定義する。図２において、ドラムカートリッジ２６及び現像カートリッジ４は、装置本体１０内に水平方向に対して傾斜して併設されている。図２において、ドラムカートリッジ２６及び現像カートリッジ４は、装置本体１０内に水平方向に対して傾斜して配列されている。
【００１７】
各ドラムカートリッジ２６には、図３に示すように、電子写真感光体（以下、感光体ドラム）１と、感光体ドラム１の周囲に帯電ローラ２と、クリーニング部材６等のプロセス手段が一体的に配置されている。
【００１８】
また、各現像カートリッジ４には、図４に示すように、現像剤担持体（以下、現像ローラ）２５と規制部材（以下、現像ブレード）３５等のプロセス手段が一体的に配置されている。
【００１９】
帯電ローラ２は、感光体ドラム１の表面を一様に帯電させるものであり、現像ローラ２５は、感光体ドラム１に形成した潜像を現像剤（以下、トナー）によって現像して可視像化するものである。そして、クリーニング部材６は、感光体ドラム１に形成したトナー像を記録媒体に転写した後に、感光体ドラム１に残留したトナーを除去するものである。
【００２０】
また図２に示すように、ドラムカートリッジ２６及び現像カートリッジ４の下方には画像情報に基づいて感光体ドラム１に選択的な露光を行い、感光体ドラム１に潜像を形成するためのスキャナユニット３が設けられている。
【００２１】
そして、スキャナユニット３の下部には記録媒体Ｓを収容したカセット１７が装着されている。そして、記録媒体Ｓが２次転写ローラ６９、定着部７４を通過して装置本体１０の上方へ搬送されるように記録媒体搬送手段が設けられている。具体的には、カセット１７内の記録媒体Ｓを１枚ずつ分離給送する給送ローラ５４、給送された記録媒体Ｓを搬送する搬送ローラ７６、感光体ドラム１に形成される潜像と記録媒体Ｓとの同期を取るためのレジストローラ５５が設けられている。一方で、ドラムカートリッジ２６の上方には各感光体ドラム１上に形成したトナー画像を転写させるための中間転写手段としての中間転写ユニット５が設けられている。中間転写ユニット５には駆動ローラ５６、従動ローラ５７、各色の感光体ドラム１に対向する位置に１次転写ローラ５８（５８ａ、５８ｂ、５８ｃ、５８ｄ）、２次転写ローラ６９に対向する位置に対向ローラ５９を有し、転写ベルト９が掛け渡されている。
【００２２】
画像形成に際しては、各感光体ドラム１を回転させ、帯電ローラ２によって一様に帯電させた感光体ドラム１にスキャナユニット３から選択的な露光を行う。これによって、感光体ドラム１に静電潜像を形成する。その潜像を現像ローラ２５によって現像する。これによって、各感光体ドラム１に各色トナー像を形成する。転写ベルト９は、すべての感光体ドラム１に対向し、且つ接するように循環移動し、１次転写ローラ５８に電圧を印加することにより、感光体ドラム１から転写ベルト９上に一次転写を行う。そして、転写ベルト９内に配置された対向ローラ５９と２次転写ローラ６９への電圧印加により、転写ベルト９のトナーを記録媒体Ｓに転写する。
【００２３】
この画像形成と同期して、レジストローラ５５が、記録媒体Ｓを対向ローラ５９と２次転写ローラ６９とが転写ベルト９を介在させて当接している２次転写位置に搬送する。そして、２次転写ローラ６９へ転写バイアス電圧を印加することで、転写ベルト上の各色トナー像を記録媒体Ｓに２次転写する。これによって、記録媒体Ｓにカラー画像を形成する。カラー画像が形成された記録媒体Ｓは、定着部７４によって加熱、加圧されてトナー像が定着される。その後、記録媒体Ｓは、排出ローラ７２によって排出部７５に排出される。
【００２４】
（ドラムカートリッジ）
次に本発明を実施したドラムカートリッジ２６について、図３を用いて詳細に説明する。図３は、ドラムカートリッジ２６の断面図である。尚、ドラムカートリッジ２６ａ，２６ｂ，２６ｃ，２６ｄは同一構成である。
【００２５】
ドラムカートリッジ２６のクリーニング枠体２７には、感光体ドラム１が図示しないドラム前軸受とドラム奥軸受を介して回動可能に設けられている。感光体ドラム１の軸線方向（長手方向）の一端側にはドラムカップリングとフランジが設けられている。
【００２６】
感光体ドラム１の周囲には、前述した通り帯電ローラ２、クリーニング部材６が設けられている。クリーニング部材６は、ゴムブレードで形成された弾性部材７とクリーニング支持部材８から構成されている。ゴムブレード７の先端部７ａは、感光体ドラム１の回転方向に対してカウンター方向に当接させて配設してある。そしてクリーニング部材６によって感光体ドラム１表面から除去された残留トナーは、除去トナー室２７ａに落下する。また除去トナー室２７ａの除去トナーが漏れることを防止するスクイシート２１がクリーニング枠体２７に取り付けられ、感光体ドラム１に当接している。そして駆動源である本体駆動モータ（不図示）の駆動力をドラムカートリッジ２６に伝達することにより、感光体ドラム１を画像形成動作に応じて回転駆動させる。帯電ローラ２は、帯電ローラ軸受２８を介し、ドラムカートリッジ２６に回動可能に取り付けられており、帯電ローラ加圧部材４６により感光体ドラム１に向かって加圧され、感光体ドラム１に従動回転する。
【００２７】
（現像カートリッジ）
次に現像カートリッジ４について、図４を用いて詳細に説明する。図４は、トナーを収納した現像カートリッジ４の断面図である。尚、イエロー色のトナーを収納した現像カートリッジ４ａ、マゼンタ色のトナーを収納した現像カートリッジ４ｂ、シアン色のトナーを収納した現像カートリッジ４ｃ、ブラック色のトナーを収納した現像カートリッジ４ｄは同一構成である。
【００２８】
現像カートリッジ４は、現像ローラ２５と、現像ローラ２５に接触して回転するトナー供給ローラ３４と、現像ローラ２５上のトナー層を規制するための現像ブレード３５と、トナー搬送部材３６及びこれらを支持する現像枠体３１で構成されている。
【００２９】
現像枠体３１は、現像ローラ２５とトナー供給ローラ３４が配置されている現像室３１ｆと、現像室３１ｆの下方に設けられたトナー収容室３１ａとで構成されており、それぞれの室は隔壁３１ｄによって仕切られている。また、隔壁３１ｄにはトナー収容室３１ａから現像室３１ｆへトナーを搬送する際にトナーが通過する開口３１ｂが設けられている。
【００３０】
現像ローラ２５とトナー供給ローラ３４は、現像ローラ軸線方向の両側に設けられた、枠体としての図示しない現像前軸受と現像奥軸受を介して、回動可能に現像枠体３１に支持されている。現像ローラ２５は、感光体ドラム１と接触して矢印Ｂ方向に回動可能とされている。ここで、現像ブレード３５は、現像ローラ２５に接触させられる規制部３５ａと、規制部３５ａを支持し、現像枠体３１に固定される支持部３５ｂと、を有するように構成され、現像ローラ２５の鉛直下方に配置されている。
【００３１】
現像枠体３１のトナー収納室３１ａには、矢印Ｅ方向に回転し、収納されたトナーを撹拌すると共に、開口部３１ｂを介して現像室３１ｆへトナーを搬送するためのトナー搬送部材３６が設けられている。
【００３２】
（画像形成装置にドラムカートリッジ及び現像カートリッジを挿入・装着する構成）
次に図５を用いて、ドラムカートリッジ２６及び現像カートリッジ４を画像形成装置１００の装置本体１０に挿入する構成について説明する。なお、本実施例では、ドラムカートリッジ２６及び現像カートリッジ４は、開口部１０１から図中矢印Ｆで示す手前側から奥側の方向（感光体ドラム１の軸線方向と平行な方向）に向かって挿入する構成となっている。本実施例では、ドラムカートリッジ２６及び現像カートリッジ４の挿入方向上流側を手前側、下流側を奥側と定義する。
【００３３】
装置本体１０には、鉛直上方側に第１の本体ガイド部である本体装着上ガイド部１０３が、また鉛直下方側に第２の本体ガイド部である本体装着下ガイド部１０２が、それぞれ設けられている。この本体装着上ガイド部１０３と本体装着下ガイド部１０２は、それぞれドラムカートリッジ２６の挿入方向Ｆに沿って伸びたガイド形状となっている。この本体装着下ガイド部１０２の装着方向手前側にドラムカートリッジ２６を載せ、挿入方向Ｆの向きに本体装着上ガイド部１０３と本体装着下ガイド部１０２とに沿って移動させることで装置本体１０へドラムカートリッジ２６の挿入を行う。
【００３４】
また現像カートリッジ４を挿入する場合もドラムカートリッジ２６と同様である。装置本体１０には、鉛直上方側に本体装着上ガイド１０５、鉛直下方側に本体装着下ガイド１０４、が設けられている。本体装着下ガイド１０４の装着方向手前側に現像カートリッジ４を載せ、挿入方向Ｆの向きに本体装着上ガイド部１０５と本体装着下ガイド部１０４とに沿って移動させることで装置本体１０へドラムカートリッジ２６の挿入を行う。
【００３５】
次に、本発明に係る実施例における現像カートリッジ４の捕集部材構成について図１、図６、図７、図８を用いて説明する。
【００３６】
図１は現像ブレードから飛散したトナーを漏洩防止する捕集部材構成に関する断面図である。図６は、図１のＡから見た平面図である。図７は、捕集部材の構成概略図、図８は、図７のＢから見た平面図である。図９は、捕集部材と現像ブレードを示す断面図である。
捕集部材５０は、図１、図７に示すように、現像ローラ２５の回転方向（矢印Ｂ）において、現像ブレード３５に対して下流側に配置され、現像ブレード３５上に設けられる。
【００３７】
捕集部材５０は、現像ブレード３５の支持部３５ｂ側から規制部３５ａ側に向けて順に、接触面５０ａ、対向部５０ｂ、トナー返し部５０ｃ（第一部）、取り込み部５０ｄ（第二部）を有している。接触面５０ａは、現像ブレード３５に対して直接的、または間接的に固定され、接触面５０ａと現像ブレード３５の間からトナーが漏れない構成とされている。本実施例では、捕集部材５０は、接触面５０ａと現像ブレード３５の間を両面テープで間接的に固定し、トナー漏れを抑制した構成とした。
【００３８】
そして、対向部５０ｂは一端が接触面５０ａ、他端がトナー返し部５０ｃにつながり、トナー返し部５０ｃと現像ブレード３５との間を開口とした袋小路形状の収容部５１が形成される。トナー返し部５０ｃは、対向部５０ｂにつながる一端から現像ブレード３５へ向かって他端が延び、他端と現像ブレード３５の間（収容部入口）に隙間５０ｃ１が形成されるように配置される。なお、トナー返し部５０ｃの他端と現像ブレード３５の間の隙間５０ｃ１は、トナー返し部５０ｃと現像ブレード３５の間における最小の隙間である。取り込み部５０ｄは、一端がトナー返し部５０ｃにつながり、他端が現像ローラ２５に向かって延び、他端と現像ブレード３５の間（開口部入口）には、隙間５０ｃ１より大きい隙間５０ｄ１が形成されている。つまり本実施例では、捕集部材５０の取り込み部５０ｄは、開口部入口から収容部入口の間において、現像ブレード３５との距離が収容部５１の収容部入口における幅が極小となるように、対向する現像ブレード３５に対して非平行に構成されている。
【００３９】
このように本実施例では、捕集部材５０を現像ブレード３５の一部と重なるように、現像ブレード３５の鉛直上方に配置し、収容部５１を形成するように形成される構成とし。現像ブレード３５の少なくとも一部を感光体ドラム１の鉛直下方に配置した。これにより、現像ブレード３５の規制部３５ａで現像ローラ２５上から除去されたトナーを、現像ブレード３５に沿って、現像ブレード３５の規制部３５ａ側から支持部３５ｂ側に向けて移動させ、収容部５１に格納することができる。なお、トナーが現像ブレード３５上を伝って、収容部５１に格納される構成としていればよいため、現像ブレード３５の少なくとも一部を感光体ドラム１の鉛直下方に位置し、現像ブレード３５の一部が感光体ドラム１の鉛直下方に位置しない構成としてもよい。
【００４０】
また本実施例では、収容部５１に格納されたトナーは、トナー返し部５０ｃが現像ブレード３５へ向かって延び、現像ブレード３５との間の隙間５０ｃ１を小さくした構成としたことにより、外部への漏出を抑制することができる。しかしながらその一方で取り込み部５０ｄは、現像ローラ２５に向かって延び、現像ブレード３５との間に、トナー返し部５０ｃと現像ブレード３５との間の隙間５０ｃ１に比べ、大きい隙間５０ｄ１を設けた構成とした。これにより、収容部５１から外部へのトナーの漏出を抑制しつつ、収容部５１に多くのトナーを格納可能としている。
【００４１】
以上のように、本実施例では、従来技術のように感光体ドラムに摺接するシート部材を設けることなく、飛散トナーが装置本体１０に漏洩しない構成とすることができる。したがって、ドラムカートリッジ２６及び現像カートリッジ４を、それぞれ個々に着脱可能とした場合であっても、シート部材と感光体ドラムが摺擦することなく、傷つくことがない。さらには感光体ドラムが傷つくことがないため、シート部材の退避機構を設けることを要さないため、現像カートリッジを大型化することなく、飛散トナーが装置本体１０に漏洩しない構成とすることができる。
【００４２】
なお、本実施例では、図６に示すように、捕集部材５０は、現像ローラ２５と接触する現像ブレード３５の規制部３５ａ端部から飛散したトナーを効率よく収容部５１に収容するために、回収面５０ｆを長手方向の両端部に設けている。長手方向（矢印Ｆ）において、回収面５０ｆは、規制部３５ａよりも大きく、現像ブレード３５の支持部３５ｂ側から規制部３５ａ側に向けて、長手方向において、捕集部材５０の内側から外側へ傾斜した面が規制部３５ａ端部をまたがるように形成されている。これにより、長手端部において、規制部３５ａで現像ローラ２５上から除去されたトナーを、現像ブレード３５の規制部３５ａ側から支持部３５ｂ側に向けて回収面５０ｆに沿って移動させることができ、収容部５１により良く格納することができる。
【００４３】
また図８に示すように、トナー返し部５０ｃは収容部５１に対向する内壁面が、収容部５１に収容されたトナーが漏洩しないように、現像ブレード３５の規制部３５ａ端部側が凸となる円弧が長手方向に複数つながった断面を有するように構成されている。収容部５１に格納されたトナーが長手方向に沿って移動した場合、このトナー返し部５０ｃにトナーが当たり、トナーに現像ブレード３５の規制部３５ａ側から支持部３５ｂ側に向かう力を作用させることができる。この結果、より良く収容部５１からのトナーの漏出を抑制することができる。
【００４４】
なお、本実施例では現像ブレード３５の規制部３５ａ端部側が凸となる円弧形状が長手方向に複数つながった断面を有する構成としたが、これに限らない。収容部５１に格納されたトナーが長手方向に沿って移動した場合、トナー返し部５０ｃでトナーに現像ブレード３５の規制部３５ａ側から支持部３５ｂ側に向かう力を作用させることができるトナー返し部５０ｇであればよい。このため、トナー返し部５０ｇは長手方向に連続した凹凸を有する断面を有するものであればよい。このため、図８に図示した円弧形状が長手方向に複数連続する構成に特定されない。
【００４５】
加えて本実施例では、捕集部材５０に、取り込み部５０ｄの現像ローラ２５側の端部から現像ブレード３５から離れる方向に向かって突出するリブ５０ｅが設けられている。より具体的には、取り込み部５０ｄの現像ローラ２５側の端部から感光体ドラム１に向かって延びるリブ５０ｅが設けられている。捕集部材５０のリブ５０ｅにより、感光体ドラム１に現像ブレード３５の規制部３５ａで除去したトナーが飛散した場合であっても、より良く収容部５１に多くのトナーを格納可能としている。
【００４６】
なお、現像ブレード３５の支持部３５ｂは、規制部３５ａを支持するため、板金等、一定の強度を有する部材が用いられる。そこで本実施例では、支持部３５ｂとして板金を用いた。これに伴い、スキャナユニット３から発せられた光が支持部３５ｂに反射して感光体ドラム１を露光させないように、捕集部材５０は現像ブレード３５の支持部３５ｂを覆うように被覆部５０ｈを設けた。
【００４７】
なお、例えば上記実施例では、捕集部材５０を現像ブレード３５に両面テープを用いて間接的に固定し、トナー漏れを抑制した構成とした。しかし、これに限らずボンドやホットメルトで捕集部材５０と現像ブレード３５を固定しても良い。さらに捕集部材５０と現像ブレード３５をネジ等で圧接させた構成とし、接着部材を介在させることなく、直接接触させても良い。このように、上記実施例は本発明の範囲で種々の変更が可能である。
【符号の説明】
【００４８】
１、１ａ、１ｂ、１ｃ、１ｄ  感光体ドラム
２、２ａ、２ｂ、２ｃ、２ｄ  帯電ローラ
４、４ａ、４ｂ、４ｃ、４ｄ  現像カートリッジ
６、６ａ、６ｂ、６ｃ、６ｄ  クリーニング部材
７  弾性部材
８  クリーニング支持部材
９  転写ベルト
１７  カセット
２５、２５ａ、２５ｂ、２５ｃ、２５ｄ  現像ローラ
２６、２６ａ、２６ｂ、２６ｃ、２６ｄ  ドラムカートリッジ
２７  クリーニング枠体
３１  現像容器
３４  トナー供給ローラ
３５  現像ブレード
４０  シール部材
５０  捕集部材
７０  プロセスカートリッジ
１００  画像形成装置
１０１、１０１ａ、１０１ｂ、１０１ｃ、１０１ｄ  開口部
１０２、１０２ａ、１０２ｂ、１０２ｃ、１０２ｄ  本体装着下ガイド
１０３、１０３ａ、１０３ｂ、１０３ｃ、１０３ｄ  本体装着上ガイド
１０４、１０４ａ、１０４ｂ、１０４ｃ、１０４ｄ  本体装着下ガイド
１０５、１０５ａ、１０５ｂ、１０５ｃ、１０５ｄ  本体装着上ガイド
【図１】
0006708441.tif 000002
【図２】
0006708441.tif 000003
【図３】
0006708441.tif 000004
【図４】
0006708441.tif 000005
【図５】
0006708441.tif 000006
【図６】
0006708441.tif 000007
【図７】
0006708441.tif 000008
【図８】
0006708441.tif 000009
【図９】
0006708441.tif 000010